(57)【要約】【課題】  医用画像通信規格に準拠した装置間の接続確認を比較的容易に実施可能にして、設置、メンテナンス等の作業効率を飛躍的に高める。【解決手段】  接続確認装置Ｓは、予めＤＩＣＯＭ規格に準拠するための各種情報が格納されたデータベースＳ１と、データベースＳ１の登録データに基づいて、医用画像通信システムの運用のシミュレーションを行う運用シミュレータ機能Ｆ１等を持った情報処理装置Ｓ２を備える。この機能Ｆ１は、例えば機器Ａと機器Ｂを接続し、機器Ａから機器Ｂへ画像データを送信したい場合に、機器ＡのＣＳを参照して機器ＡのOUTPUTと機器Ｂの予想されるINPUTを生成して両者を付き合わせ、接続可・不可を判定する。【選択図】      図１
2006110007.tif 000002
【特許請求の範囲】
【請求項１】
医用におけるディジタル画像と通信に関する標準規格に準拠した通信端末機器間を接続する医用画像通信システムに用いられ、
前記規格の詳細情報が登録されるデータベースを参照して被確認機器における入力と出力の予測データを生成する予測データ生成手段と、
前記入力と出力の予測データを比較して整合性をチェックしそのチェック結果に基づいて接続の可否を判定することで前記システムの運用シミュレーションを行う運用シミュレーション手段とを具備することを特徴とする装置間接続確認装置。
【請求項２】
さらに、前記データベースに予め登録されている前記規格に準拠する通信端末機器の情報を参照し、指定された運用条件を満たす接続可能機器を検索する機器検索手段を備えることを特徴とする請求項１記載の装置間接続確認装置。
【請求項３】
さらに、前記データベースの被接続機器の登録情報または各種定義書を作成・更新する際の要領を支援する定義書作成支援手段を備えることを特徴とする請求項１記載の装置間接続確認装置。
【請求項４】
さらに、前記データベースの被確認機器に対する登録情報の誤りを検出しその正常性を検査する登録情報誤り検出手段を備えることを特徴とする請求項１記載の装置間接続確認装置。
【請求項５】
さらに、前記被接続機器の接続試験を計画し管理するための接続試験管理手段を備えることを特徴とする請求項１記載の装置間接続確認装置。
【請求項６】
前記規格はＤＩＣＯＭ（digital imaging and communications in medicine）であり、前記データベースにはＤＩＣＯＭ適合明細情報が登録されていることを特徴とする請求項１記載の装置間接続確認装置。
【請求項７】
医用におけるディジタル画像と通信に関する標準規格に準拠した通信端末機器間を接続する医用画像通信システムに用いられ、
前記規格の詳細情報が登録されるデータベースを参照して被確認機器における入力と出力の予測データを生成する予測データステップと、
前記入力と出力の予測データを比較して整合性をチェックしそのチェック結果に基づいて接続の可否を判定することで前記システムの運用シミュレーションを行う運用シミュレーションステップとを具備することを特徴とする装置間接続確認方法。
【請求項８】
さらに、前記データベースに予め登録されている前記規格に準拠する通信端末機器の情報を参照し、指定された運用条件を満たす接続可能機器を検索する機器検索ステップを備えることを特徴とする請求項７記載の装置間接続確認方法。
【請求項９】
さらに、前記データベースの被接続機器の登録情報または各種定義書を作成・更新する際の要領を支援する定義書作成支援ステップを備えることを特徴とする請求項７記載の装置間接続確認方法。
【請求項１０】
さらに、前記データベースの被確認機器に対する登録情報の誤りを検出しその正常性を検査する登録情報誤り検出ステップを備えることを特徴とする請求項７記載の装置間接続確認方法。
【請求項１１】
さらに、前記被接続機器の接続試験を計画し管理するための接続試験管理ステップを備えることを特徴とする請求項７記載の装置間接続確認方法。
【請求項１２】
前記規格はＤＩＣＯＭ（digital imaging and communications in medicine）であり、前記データベースにはＤＩＣＯＭ適合明細情報が登録されていることを特徴とする請求項７記載の装置間接続確認方法。
【発明の詳細な説明】
【技術分野】
【０００１】
本発明は、医用におけるディジタル画像と通信に関する標準規格であるＤＩＣＯＭ（digital imaging and communications in medicine）に準拠して装置間を接続した医用画像通信システムに係り、特にＤＩＣＯＭ接続の確認作業を容易にするための技術に関する。
【背景技術】
【０００２】
従来より、医用情報処理システムにおいて、スキャナ、サーバ、プリンタ、ビューワなどのディジタル画像機器を接続する場合、ＤＩＣＯＭ規格に沿って行われている。この場合、まず接続試験前に、メーカ間で接続機器のDICOM Conformance Statement（以下、ＣＳ）を取り交わし、作業員がその内容をつき合わせて接続状態を確認していく人手による手法を用い、次に実際の機器同士を接続した接続試験により、期待する結果が得られることを確認する手法が採用される。
【０００３】
しかしながら、実際には、接続試験が簡単に成功することは少なく、試行錯誤を繰返したり、ソフトウェアの部分的修正が必要になったりするなど、接続確認に膨大な時間を費やしている。
【０００４】
尚、ＤＩＣＯＭ規格に沿った医用情報処理システムの概要については、特許文献１の従来技術で説明されている。
【特許文献１】特開２００１−２０６７０３号公報。
【発明の開示】
【発明が解決しようとする課題】
【０００５】
以上述べたように、従来の医用画像通信システムでは、装置間の接続確認に膨大な時間を費やしており、設置、メンテナンス等の作業効率が極めて劣悪な状況にある。
【０００６】
本発明は上記の問題を解決し、装置間の接続確認を比較的容易に実施することができ、設置、メンテナンス等の作業効率を飛躍的に高めることのできる医用画像通信システム用の装置間接続確認装置とその装置間接続確認方法を提供することを目的とする。
【課題を解決するための手段】
【０００７】
上記の目的を達成するために、本発明に係る医用画像通信システム用の装置間接続確認装置及びその装置間接続確認方法は、医用におけるディジタル画像と通信に関する標準規格に準拠した通信端末機器間を接続する場合に、前記規格の詳細情報が登録されるデータベースを参照して被確認機器における入力と出力の予測データを生成する予測データ生成手段またはステップと、前記入力と出力の予測データを比較して整合性をチェックしそのチェック結果に基づいて接続の可否を判定することで前記システムの運用シミュレーションを行う運用シミュレーション手段またはステップとを具備するようにしたことを特徴とするものである。
【０００８】
さらに、前記データベースに予め登録されている前記規格に準拠する通信端末機器の情報を参照し、指定された運用条件を満たす接続可能機器を検索する機器検索手段またはステップを備えることを特徴とする。
【０００９】
さらに、前記データベースの被接続機器の登録情報または各種定義書を作成・更新する際の要領を支援する定義書作成支援手段またはステップを備えることを特徴とする。
【００１０】
さらに、前記データベースの被確認機器に対する登録情報の誤りを検出しその正常性を検査する登録情報誤り検出手段またはステップを備えることを特徴とする。
【００１１】
さらに、前記被接続機器の接続試験を計画し管理するための接続試験管理手段またはステップを備えることを特徴とする。
【００１２】
前記規格はＤＩＣＯＭ（digital imaging and communications in medicine）であり、前記データベースにはＤＩＣＯＭ適合明細情報が登録されていることを特徴とする。
【発明の効果】
【００１３】
本発明によれば、装置間の接続確認を比較的容易に実施することができ、設置、メンテナンス等の作業効率を飛躍的に高めることのできる医用画像通信システム用の装置間接続確認装置とその装置間接続確認方法を提供することができる。
【発明を実施するための最良の形態】
【００１４】
以下、図面を参照して本発明の実施の形態を詳細に説明する。
【００１５】
図１は本発明の一実施形態に係る医用画像通信システムの全体構成を示すもので、Ａ，Ｂ，Ｃ，ＤはそれぞれＤＩＣＯＭ規格に準拠した通信端末機器であり、これらはネットワークを通じて接続確認装置Ｓに接続される。
【００１６】
この接続確認装置ＳはデータベースＳ１を備える。このデータベースＳ１には、予めＣＳ、ＤＩＣＯＭ定義書、運用定義書、接続実績データ、試験用通信データ集等のＤＩＣＯＭ規格に準拠するための各種情報が格納される。また、このデータベースＳ１には、各通信端末機器Ａ〜Ｄそれぞれの接続・通信状況を常時あるいは定期的に監視して、機器間の接続・通信状態を示すステータス情報が蓄積される。
【００１７】
また、上記接続確認装置Ｓは、情報処理装置Ｓ２を備える。この情報処理装置Ｓ２では、データベースＳ１の登録データに基づいて、運用のシミュレーションを行う運用シミュレータ機能Ｆ１、接続可能機器を検索する検索機能Ｆ２、接続する機器のＣＳや各種定義書を作成・更新する際の要領を支援する定義書作成支援機能Ｆ３、各装置に対するＣＳの誤りを検出しその正常性を検査するＣＳ誤り検出機能Ｆ４、接続試験を計画し管理するための接続試験管理機能Ｆ５を備える。
【００１８】
図２に上記ＤＩＣＯＭのフォーマット構成を示す。このＤＩＣＯＭは、グループ（Group）及びエレメント値（Element VR）によるＤＩＣＯＭタグ（DICOM Tag）、値フィールドの長さ（Value Length）、例えば患者名、画像などの値を入れるエリア（Value Field）からなるデータ要素を順に配列したものである。
【００１９】
上記グループの例を図３に示す。ここで、ＤＩＣＯＭの標準となるグループの番号は偶数であり、プライベートタグはグループ番号が奇数となる。タグは、例えば１６進表記の４桁で表現され、例えば患者氏名、生年月日、モダリティ、画素データ等を指定することができる。
【００２０】
以下、本発明の特徴とする接続確認装置Ｓが備える情報処理機能について説明する。
【００２１】
（１）運用シミュレータ機能Ｆ１
この機能Ｆ１の処理の流れを図４に示して説明する。まず、接続機器の指定入力を受け付け（ステップＳ１１）、接続元及び接続先それぞれの機器のＣＳについてデータベースＳ１を参照し、所定のデータを接続元機器に入力したときの出力予測値Ｄoutと接続先機器の入力予測値Ｄinを求める（ステップＳ１２）。ここで、出力予測値Ｄoutと入力予測値Ｄinとを比較し（ステップＳ１３）、一致している場合は導入可と判断し（ステップＳ１４）、一致しない場合には導入不可と判断して（ステップＳ１５）、それぞれの判断結果を表示し（ステップＳ１６）、一連の処理を終了する。
【００２２】
この機能Ｆ１は、例えば機器Ａと機器Ｂを接続し、機器Ａから機器Ｂへ画像データを送信したい場合に、機器ＡのＣＳを参照して機器ＡのOUTPUTと機器Ｂの予想されるINPUTを生成して両者を付き合わせ、接続可・不可を判定する。例えば、装置ＡのＣＳには、患者ＩＤ（識別符号）は送信し、患者名は送信しないとの記述があるとする。また、装置ＢのＣＳには、患者ＩＤと患者名は必須との記述があるとする。上記情報から作成した装置ＡのOUTPUTと装置ＢのINPUTを付き合わせると、“接続不可“という結果が実際の接続前に得ることができる。
【００２３】
同様にして、機器Ａと機器Ｃとの接続、機器Ｃと機器Ｄとの接続について運用シミュレータ処理を行い、これらはいずれも導入可であったとすると、図５に示すように表示され、これによって作業員は容易に機器接続の可否を確認することができる。
【００２４】
（２）検索機能Ｆ２
この機能の処理の流れを図６に示して説明する。まず、条件としてキーワードが入力されると（ステップＳ２１）、データベースＳ１を参照してキーワードによる条件に合致する該当機器をリストアップする（ステップＳ２２）。続いて、条件の追加があるか判断し（ステップＳ２３）、追加があればステップＳ２１に戻り、追加がなければ機器選択を指示して（ステップＳ２４）、一連の処理を終了する。
【００２５】
この機能は、例えば新規に装置を接続したい場合に、データベースＳ１に登録されている機器情報から、運用条件に見合う機器を検索して絞り込み、リストアップする。例えば、「日本語が使えること」という条件を選択すると、日本語対応している機器のみがリストアップされる。また、「ＵＳ（Ultra Sound）画像が使えること」という条件を選択すると、ＵＳ画像に対応している機器のみがリストアップされる。
【００２６】
尚、上記の説明では、キーワード検索を行ってから機器を絞り込むように説明したが、先に関係する機器を絞り込んでから検索をかけるようにしてもよい。この場合は、単純に条件から外れるものを先に排除することができ、検索時間を短縮することができる。
【００２７】
（３）支援機能Ｆ３
この機能Ｆ３の処理の流れを図７に示して説明する。まず、ＣＳ、定義書の新規・更新指定があった場合（ステップＳ３１）、予め登録されているナビゲーションプログラムを読み出してＣＳ、定義書作成に必要な項目の入力を順次説明し（ステップＳ３２）、全項目の入力が完了した場合には（ステップＳ３３）、それぞれの入力項目に従ってＣＳまたは定義書の作成・更新を実行し（ステップＳ３４）、一連の処理を終了する。
【００２８】
この機能Ｆ３は、例えば接続する機器のＣＳや各種定義書を新規作成したり、更新したりする場合、その作成手順や記入内容、記入ポイントなどを示す。ユーザは本機能のナビゲーションに従って、必要な（要求される）内容を入力していくことでＣＳや各種定義書を作成することができる。ここで作成されたＣＳや定義書はデータベースＳ１に蓄積される。
【００２９】
（４）ＣＳ誤り検出機能Ｆ４
この機能Ｆ４の処理の流れを図８に示して説明する。まず、被検査情報の入力が合った場合（ステップＳ４１）、データベースＳ１のＣＳを参照比較し（ステップＳ４２）、矛盾があるか否か判断する（ステップＳ４３）。矛盾がある場合には、矛盾点を指摘して通知し（ステップＳ４４）、矛盾がない場合には正常を通知して（ステップＳ４５）、一連の処理を終了する。
【００３０】
この機能Ｆ４は、実際に装置Ａから出力された画像データや検査情報を入力すると、装置ＡのＣＳが正しいかどうかを検査し、実際の出力値とＣＳの記述に矛盾がある場合は、その矛盾点を通知するというものである。例えば、装置ＡのＣＳに「患者名はセットしない」と記述されているが、実際の画像データに患者名が存在する場合には、ユーザにその旨を通知することができる。
【００３１】
（５）接続試験計画管理機能Ｆ５
実際に装置Ａと装置Ｂの接続試験を実施する場合、試験前に試験項目や試験手順（接続試験計）を提示する。また、ユーザは、いつその試験項目を実施するかの計画を本システム上で立てる。さらに、試験開始後は、接続試験結果を入力することにより、どこまで接続試験が進んでいるのか、遅れはどのくらいかなどの進捗を表示することができる。装置Ａと装置Ｂの最終的な接続結果（Pass or Fail）はデータベースＳ１に蓄積される。
【００３２】
以上の機能Ｆ１〜Ｆ５を備える接続確認装置Ｓをネットワーク上に配置し、各通信端末機器をネットワークに接続する際に、接続確認装置Ｓの接続確認を受けることで、ＤＩＣＯＭ接続の適否を容易に確認することができ、メンテナンス作業も比較的短時間に行うことができる。
【００３３】
尚、上記実施形態では、データベースＳ１の配置を接続確認装置Ｓ内としたが、接続確認装置Ｓの外部でもよい。また、ネットワーク上に配置したり、共有化設定したりすることで、外部からアクセス可能な環境とし、これによって情報の共有を図るようにすれば、いっそう効果的である。また、接続確認装置Ｓとしてネットワーク上で接続確認を実施するようにしたが、単独で使用して、被接続機器に個別に接続して対応するようにしてもよい。また、被接続機器に接続せずに、接続確認装置Ｓ単体（スタンドアローン）での対応でもよい。
【００３４】
また、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３５】
【図１】本発明の一実施形態に係る医用画像通信システムの全体構成を示すブロック図。
【図２】図１のシステムに用いられるＤＩＣＯＭのフォーマット構成を示す図。
【図３】図２のフォーマットにおけるグループの例を示す図。
【図４】図１のシステムのサーバにおける運用シミュレータ機能の処理の流れを示すフローチャート。
【図５】図４の運用シミュレータ機能の処理結果の表示例を示す図。
【図６】図１のシステムのサーバにおける検索機能の処理の流れを示すフローチャート。
【図７】図１のシステムのサーバにおける定義書作成支援機能の処理の流れを示すフローチャート。
【図８】図１のシステムのサーバにおけるＣＳ誤り検出機能の処理の流れを示すフローチャート。
【符号の説明】
【００３６】
Ａ，Ｂ，Ｃ，Ｄ…通信端末機器
Ｓ…接続確認装置
Ｓ１…データベース
Ｓ２…情報処理装置
Ｆ１…運用シミュレータ機能
Ｆ２…検索機能
Ｆ３…定義書作成支援機能
Ｆ４…ＣＳ誤り検出機能
【図１】
2006110007.tif 000003
【図２】
2006110007.tif 000004
【図３】
2006110007.tif 000005
【図４】
2006110007.tif 000006
【図５】
2006110007.tif 000007
【図６】
2006110007.tif 000008
【図７】
2006110007.tif 000009
【図８】
2006110007.tif 000010